(57)【要約】      （修正有）【課題】住宅の各要素についてより認識しやすいイメージを看者に対して提示することができる媒体を容易に作成できるようにする。【解決手段】住宅における複数種類の要素（外観，居間，食堂，寝室等）について複数種類のタイプのものの動画のデータ（Ａ１・Ａ２・…・Ａｎ・…，Ｂ１・Ｂ２・…・Ｂｎ・…，Ｃ１・Ｃ２・…・Ｃｎ・…，…）が記録されており、それら複数種類の要素のうちの少なくとも一部の種類の要素について、各々、複数種類のタイプのものの動画のデータから選択された１種類のデータ（例えばＡ２，Ｂ１，Ｃ５，Ｄ３）が他のデジタルディスクに複写されて使用される。【選択図】図１
2005258950.tif 000002
【特許請求の範囲】
【請求項１】
住宅における複数種類の要素について複数種類のタイプのものの動画のデータが記録されており、
前記複数種類の要素のうちの少なくとも一部の種類の要素について、各々、前記複数種類のタイプのものの動画のデータから選択された１種類のデータが他のデジタルディスクに複写されて使用される、住宅説明デジタルディスク作成用デジタルディスク。
【発明の詳細な説明】
【技術分野】
【０００１】
本発明は、住宅の各要素のイメージを提示するための手段に関するものである。
【背景技術】
【０００２】
住宅（集合住宅を含む）の設計，販売等を行う業者は、需要者のニーズに合わせた住宅を提供しようとする。
それに先立って、その業者は、需要者のニーズを把握（推測）し、それに沿った内容のイメージを需要者に提示する必要がある。
【０００３】
そして、従来においては、その提示は、紙等によって作成されたパンフレット（媒体）を需要者に提供することによって行われている。
すなわち、その業者は、需要者との面談等によって、その需要者が住宅の各要素について有しているニーズを把握（推測）し、住宅の各要素についてそのニーズに沿った内容の写真等の静止画を有するパンフレットを作成する。そして、そのパンフレットを需要者に提示され、その需要者は、その内容が自分のニーズに合致しているか確認をする。
【０００４】
しかしながら、上述の方法では、まず、そのパンフレットを作成するのが煩雑である。すなわち、そのパンフレットの作成は、住宅の各要素についてその業者が予め有している写真のフィルム等に基づいて、各紙面の所定の部分に所定の写真等が印刷されて行われるのであるが、その作業は煩雑である。
【０００５】
また、上述の方法では、需要者（看者）に提示するものが写真等の静止画であるため、それを需要者（看者）が十分に認識することができず、需要者は、その内容が自分のニーズに本当に合致しているものかを判断をするのが困難である。
【発明の開示】
【発明が解決しようとする課題】
【０００６】
本発明は、住宅の各要素についてより認識しやすいイメージを看者に対して提示することができる媒体を容易に作成することができるようにすることを課題とする。
【課題を解決するための手段】
【０００７】
上記の課題を解決するために、請求項１に係る発明は、住宅における複数種類の要素について複数種類のタイプのものの動画のデータが記録されており、前記複数種類の要素のうちの少なくとも一部の種類の要素について、各々、前記複数種類のタイプのものの動画のデータから選択された１種類のデータが他のデジタルディスクに複写されて使用される、住宅説明デジタルディスク作成用デジタルディスクである。
【０００８】
この発明の住宅説明デジタルディスク作成用デジタルディスクには、住宅における複数種類の要素について複数種類のタイプのものの動画のデータが記録されている。そして、その複数種類の要素のうちの少なくとも一部の種類の要素について、各々、複数種類のタイプのものの動画のデータから選択された１種類のデータが他のデジタルディスクに複写されて使用される。
こうして、住宅における複数種類の要素のうちの少なくとも一部の種類の要素について、各々、複数種類のタイプのものの動画のデータから選択された１種類のデータが記録されたデジタルディスク（住宅説明デジタルディスクということとする）が容易に作成される。
そして、この住宅説明デジタルディスクが再生されることによって、住宅における複数種類の要素のうちの少なくとも一部の種類の要素について各々複数種類のタイプのものから選択された１種類のタイプのものの内容が、看者によって十分に認識され得る。
【発明の効果】
【０００９】
以上のように、本発明によれば、住宅の各要素についてより認識しやすいイメージを看者に対して提示することができる媒体を容易に作成することができる。
すなわち、この発明では、住宅についての需要者のニーズに沿った内容（住宅における複数種類の要素のうちの少なくとも一部の種類の要素について各々複数種類のタイプのものから需要者のニーズであろうと推測されたもの）の動画を有する住宅説明デジタルディスク（媒体）が容易に作成され得るとともに、その住宅説明デジタルディスク（媒体）によって、その需要者は、その内容を十分に認識することができるのである。
【発明を実施するための最良の形態】
【００１０】
次に、本発明の一実施形態について図面に基づいて説明する。
本発明の一実施形態の元ディスク（本発明の住宅説明デジタルディスク作成用デジタルディスクに該当する。）は、ＤＶＤ（デジタル多目的ディスク）である。
図１に示すように、その元ディスク１０には、次のように、住宅の各要素について、多数の動画のデータが記録されている。
すなわち、住宅の各要素としては、外観，居間，食堂，寝室等がある。そして、この元ディスク１０には、各要素ごとに、複数の種類のものの動画のデータが記録されている。
【００１１】
例えば、住宅の外観については、Ａ１，Ａ２，Ａ３，…，Ａｎ，…のように、複数の種類のものの動画のデータが記録されている。Ａ１は第１のタイプの外観であり、Ａ２は第２のタイプの外観であり、…Ａｎは第ｎのタイプの外観である。各動画のデータは、当該住宅の近くに位置する人（正確には仮想的な人である。以下同様である）が当該住宅の周囲を歩きつつ当該住宅の外観のほぼ全体の状況を視認する内容のものである。各動画のデータには、文字による説明（テロップともいわれる）や、音声による説明（ナレーションともいわれる）が付加されている（以下同様である）。
【００１２】
また、居間については、Ｂ１，Ｂ２，Ｂ３，…，Ｂｎ，…のように、複数の種類のものの動画のデータが記録されている。Ｂ１は第１のタイプの居間であり、Ｂ２は第２のタイプの居間であり、…Ｂｎは第ｎのタイプの居間である。各動画のデータは、当該居間の内部に位置する人が当該居間のほぼ全体（一端部から他端部まで）を歩きつつ当該居間のほぼ全体の状況を視認する内容のものである。
【００１３】
同様にして、食堂については、Ｃ１，Ｃ２，Ｃ３，…，Ｃｎ，…のように、複数の種類のものの動画のデータが記録されている。Ｃ１は第１のタイプの食堂であり、Ｃ２は第２のタイプの食堂であり、…Ｃｎは第ｎのタイプの食堂である。各動画のデータは、当該食堂の内部に位置する人が当該食堂のほぼ全体（一端部から他端部まで）を歩きつつ当該居間のほぼ全体の状況を視認する内容のものである。
【００１４】
同様にして、寝室については、Ｄ１，Ｄ２，Ｄ３，…，Ｄｎ，…のように、複数の種類のものの動画のデータが記録されている。Ｄ１は第１のタイプの寝室であり、Ｄ２は第２のタイプの寝室であり、…Ｄｎは第ｎのタイプの寝室である。各動画のデータは、当該寝室の内部に位置する人が当該寝室のほぼ全体（一端部から他端部まで）を歩きつつ当該寝室のほぼ全体の状況を視認する内容のものである。
【００１５】
また、住宅のうちの上記以外の要素についても、適宜、各々、複数の種類のものの動画のデータが記録されている。例えば、玄関，庭，座敷等である。
【００１６】
この元ディスク１０は、次のように別のディスク（ＤＶＤ）に複写されて使用される。
住宅の設計や販売を行う業者は、需要者との面談等によって、その需要者が住宅の各要素（外観，居間，食堂，寝室等）についてどのようなニーズを有しているかを把握（推測）する。すなわち、外観についてはＡ１，Ａ２，…，Ａｎ，…のうちのいずれを希望しているか、居間についてはＢ１，Ｂ２，…，Ｂｎ，…のうちのいずれを希望しているか、食堂についてはＣ１，Ｃ２，…，Ｃｎ，…のうちのいずれを希望しているか、寝室についてはＤ１，Ｄ２，…，Ｄｎ，…のうちのいずれを希望しているか等を把握（推測）する。
なお、住宅の外観には規模も含まれ、平屋，２階建て，３階建てのいずれを需要者が希望しているか、１世帯，２世帯，３世帯のいずれの形態で居住するか等によっても、その需要者のニーズが把握（推測）される。
【００１７】
そして、例えば、その需要者が外観についてはＡ２を希望し、居間についてはＢ１を希望し、食堂についてはＣ５を希望し、寝室についてはＤ３を希望していると把握（推測）された場合には、図２に示すように、その業者によって、元ディスク１０のうちのＡ２，Ｂ１，Ｃ５，Ｄ３のデータが別のディスクに複写（記録）されて、その内容を有する個別ディスク２０（本発明の住宅説明デジタルディスクに該当する）が作成される。
その際、そのために専用の自動編集装置（自動編集ソフト）が使用されてもよい。
また、元ディスク１０に記録されているすべての要素について１種類のタイプずつ個別ディスク２０に複写される場合に限らず、一部の要素について１種類のタイプずつ個別ディスク２０に複写される場合もある。
【００１８】
そして、その個別ディスク２０は、その需要者に対して譲渡又は貸与されてその需要者によって再生されたり、その業者によってその需要者の目前で再生されたりする。こうして、その需要者のニーズ（正確には、その需要者のニーズであろうと業者が把握（推測）したもの）に沿った内容の動画がその需要者に対して提示される。
【００１９】
それによって、その需要者は、その内容が自分のニーズに合致しているか等を容易に確認することができる。すなわち、提示されるものが写真等の静止画ではなく動画であるため、需要者はその内容をよりリアルに認識することができ、それが自分のニーズに合致しているか等を容易に確認することができるのである。
【００２０】
以上のようにして、元ディスク１０からは容易に個別ディスク２０が作成され得るとともに、その個別ディスク２０によって、需要者（看者）は住宅の各要素を十分に認識することができる。
【図面の簡単な説明】
【００２１】
【図１】本発明の一実施形態の元ディスクの記録内容を模式的に示す図である。
【図２】本発明の一実施形態の元ディスクから作成された個別ディスクの記録内容を模式的に示す図である。
【符号の説明】
【００２２】
１０  元ディスク（住宅説明デジタルディスク作成用デジタルディスク）
２０  個別ディスク（住宅説明デジタルディスク）
【図１】
2005258950.tif 000003
【図２】
2005258950.tif 000004